(57)【要約】【課題】インバーター回路を駆動する駆動回路の特性のバラツキがあっても光源を点灯させることができる点灯装置を製造する。【解決手段】タイミング調整手段３１３は、スイッチング素子３４１を駆動するための信号Ｓｏ１およびスイッチング素子３４２を駆動するための信号Ｓｏ２によるデッドタイムが、記憶手段３１１に記憶されているデッドタイムと等しくなるように、信号Ｓｏ１および信号Ｓｏ２の少なくとも一方のタイミングを調整する。タイミング調整手段３１４は、スイッチング素子３４３を駆動するための信号Ｓｏ３およびスイッチング素子３４４を駆動するための信号Ｓｏ４によるデッドタイムが、記憶手段３１１に記憶されているデッドタイムと等しくなるように、信号Ｓｏ３および信号Ｓｏ４の少なくとも一方のタイミングを調整する。【選択図】図５
2014107258.tif 000002
【特許請求の範囲】
【請求項１】
光源に電圧を印加するための共振回路と、
前記共振回路に交流電圧を印加するインバーターブリッジ回路と、
第１駆動回路と、
第２駆動回路と、
制御装置と、
を有し、
前記インバーターブリッジ回路は、
第１制御端子に入力された第１信号に応じて動作する第１スイッチング素子と、
第２制御端子に入力された第２信号に応じて動作する第２スイッチング素子と、
第３制御端子に入力された第３信号に応じて動作する第３スイッチング素子と、
第４制御端子に入力された第４信号に応じて動作する第４スイッチング素子と
を有し、
前記第１駆動回路は、
第１入力端子と、
第２入力端子と、
前記第１制御端子に接続され、前記第１入力端子への入力に応じた信号を出力する第１出力端子と、
前記第２制御端子に接続され、前記第２入力端子への入力に応じた信号を出力する第２出力端子と
を有し、
前記第２駆動回路は、
第３入力端子と、
第４入力端子と、
前記第３制御端子に接続され、前記第３入力端子への入力に応じた信号を出力する第３出力端子と、
前記第４制御端子に接続され、前記第４入力端子への入力に応じた信号を出力する第４出力端子と
を有し、
前記制御装置は、
前記共振回路の共振特性に応じて決められたデッドタイムの値を記憶する記憶手段と、
前記第１スイッチング素子および前記第２スイッチング素子が同時にオフ状態になるデッドタイムが前記記憶手段に記憶されている値となるように前記第１信号および前記第２信号の少なくとも一方のタイミングを調整する第１調整手段と、
前記第３スイッチング素子および前記第４スイッチング素子が同時にオフ状態になるデッドタイムが前記記憶手段に記憶されている値となるように前記第３信号および前記第４信号の少なくとも一方のタイミングを調整する第２調整手段と、
前記第１調整手段で調整されたタイミングで前記第１スイッチング素子を動作させるための第１信号を前記第１入力端子に供給する第１供給手段と、
前記第２調整手段で調整されたタイミングで前記第２スイッチング素子を動作させるための第２信号を前記第２入力端子に供給する第２供給手段と、
前記第３調整手段で調整されたタイミングで前記第３スイッチング素子を動作させるための第３信号を前記第３入力端子に供給する第３供給手段と、
前記第４調整手段で調整されたタイミングで前記第４スイッチング素子を動作させるための第４信号を前記第４入力端子に供給する第４供給手段と
を有する点灯装置。
【請求項２】
前記第１駆動回路は、前記第１出力端子から出力される信号がオン状態を示すものからオフ状態を示すものに切り替わってから第１時間が経過するまでは、前記第２出力端子から出力される信号をオフ状態からオン状態に切り替えず、
前記デッドタイムは、前記第１時間に応じて決められる
ことを特徴とする請求項１に記載の点灯装置。
【請求項３】
前記第２駆動回路は、前記第３出力端子から出力される信号がオン状態を示すものからオフ状態を示すものに切り替わってから第２時間が経過するまでは、前記第４出力端子から出力される信号をオフ状態からオン状態に切り替えず、
前記デッドタイムは、前記第２時間に応じて決められる
ことを特徴とする請求項１または２に記載の点灯装置。
【請求項４】
請求項１ないし３のいずれか一項に記載の点灯装置と、
前記点灯装置により点灯される前記光源と、
前記光源から照射される光を変調する変調装置と
を有する表示装置。
【請求項５】
光源に電圧を印加するための共振回路と、
前記共振回路に交流電圧を印加するインバーターブリッジ回路と、
第１駆動回路と、
第２駆動回路と
を有する装置における前記光源の点灯方法であって、
前記インバーターブリッジ回路は、
第１制御端子に入力された第１信号に応じて動作する第１スイッチング素子と、
第２制御端子に入力された第２信号に応じて動作する第２スイッチング素子と、
第３制御端子に入力された第３信号に応じて動作する第３スイッチング素子と、
第４制御端子に入力された第４信号に応じて動作する第４スイッチング素子と
を有し、
前記第１駆動回路は、
第１入力端子と、
第２入力端子と、
前記第１制御端子に接続され、前記第１入力端子への入力に応じた信号を出力する第１出力端子と、
前記第２制御端子に接続され、前記第２入力端子への入力に応じた信号を出力する第２出力端子と
を有し、
前記第２駆動回路は、
第３入力端子と、
第４入力端子と、
前記第３制御端子に接続され、前記第３入力端子への入力に応じた信号を出力する第３出力端子と、
前記第４制御端子に接続され、前記第４入力端子への入力に応じた信号を出力する第４出力端子と
を有し、
前記共振回路の共振特性に応じて決められたデッドタイムの値を記憶するステップと、
前記第１スイッチング素子および前記第２スイッチング素子が同時にオフ状態になるデッドタイムが前記記憶手段に記憶されている値となるように前記第１信号および前記第２信号の少なくとも一方のタイミングを調整するステップと、
前記第３スイッチング素子および前記第４スイッチング素子が同時にオフ状態になるデッドタイムが前記記憶手段に記憶されている値となるように前記第３信号および前記第４信号の少なくとも一方のタイミングを調整するステップと、
前記調整された第１信号を前記第１入力端子に供給するステップと、
前記調整された第２信号を前記第２入力端子に供給するステップと、
前記調整された第３信号を前記第３入力端子に供給するステップと、
前記調整された第４信号を前記第４入力端子に供給するステップと
を有する点灯方法。
【発明の詳細な説明】
【技術分野】
【０００１】
本発明は、ランプを点灯する技術に関する。
【背景技術】
【０００２】
インバーター回路および共振回路を用いて、ランプを点灯させる技術が知られている（例えば特許文献１）。
【先行技術文献】
【特許文献】
【０００３】
【特許文献１】特表２００４−５２２２８０号公報
【発明の概要】
【発明が解決しようとする課題】
【０００４】
特許文献１に記載された技術においては、回路を構成する部品の特性にバラツキがある場合に、所望の特性を得ることができないことがあった。
これに対し本発明は、インバーター回路を駆動する駆動回路の特性のバラツキがあっても光源を点灯させることができる点灯装置を提供する。
【課題を解決するための手段】
【０００５】
本発明は、光源に電圧を印加するための共振回路と、前記共振回路に交流電圧を印加するインバーターブリッジ回路と、第１駆動回路と、第２駆動回路と、制御装置とを有し、前記インバーターブリッジ回路は、第１制御端子に入力された第１信号に応じて動作する第１スイッチング素子と、第２制御端子に入力された第２信号に応じて動作する第２スイッチング素子と、第３制御端子に入力された第３信号に応じて動作する第３スイッチング素子と、第４制御端子に入力された第４信号に応じて動作する第４スイッチング素子とを有し、前記第１駆動回路は、第１入力端子と、第２入力端子と、前記第１制御端子に接続され、前記第１入力端子への入力に応じた信号を出力する第１出力端子と、前記第２制御端子に接続され、前記第２入力端子への入力に応じた信号を出力する第２出力端子とを有し、前記第２駆動回路は、第３入力端子と、第４入力端子と、前記第３制御端子に接続され、前記第３入力端子への入力に応じた信号を出力する第３出力端子と、前記第４制御端子に接続され、前記第４入力端子への入力に応じた信号を出力する第４出力端子とを有し、前記制御装置は、前記共振回路の共振特性に応じて決められたデッドタイムの値を記憶する記憶手段と、前記第１スイッチング素子および前記第２スイッチング素子が同時にオフ状態になるデッドタイムが前記記憶手段に記憶されている値となるように前記第１信号および前記第２信号の少なくとも一方のタイミングを調整する第１調整手段と、前記第３スイッチング素子および前記第４スイッチング素子が同時にオフ状態になるデッドタイムが前記記憶手段に記憶されている値となるように前記第３信号および前記第４信号の少なくとも一方のタイミングを調整する第２調整手段と、前記第１調整手段で調整されたタイミングで前記第１スイッチング素子を動作させるための第１信号を前記第１入力端子に供給する第１供給手段と、前記第２調整手段で調整されたタイミングで前記第２スイッチング素子を動作させるための第２信号を前記第２入力端子に供給する第２供給手段と、前記第３調整手段で調整されたタイミングで前記第３スイッチング素子を動作させるための第３信号を前記第３入力端子に供給する第３供給手段と、前記第４調整手段で調整されたタイミングで前記第４スイッチング素子を動作させるための第４信号を前記第４入力端子に供給する第４供給手段とを有する点灯装置を提供する。
この点灯装置によれば、第１駆動回路および第２駆動回路の特性にバラツキがあっても、光源を点灯させることができる。
【０００６】
前記第１駆動回路は、前記第１出力端子から出力される信号がオン状態を示すものからオフ状態を示すものに切り替わってから第１時間が経過するまでは、前記第２出力端子から出力される信号をオフ状態からオン状態に切り替えず、前記デッドタイムは、前記第１時間に応じて決められてもよい。
この点灯装置によれば、第１駆動回路のデッドタイムにバラツキがあっても、光源を点灯させることができる。
【０００７】
前記第２駆動回路は、前記第３出力端子から出力される信号がオン状態を示すものからオフ状態を示すものに切り替わってから第２時間が経過するまでは、前記第４出力端子から出力される信号をオフ状態からオン状態に切り替えず、前記デッドタイムは、前記第２時間に応じて決められてもよい。
この点灯装置によれば、第２駆動回路のデッドタイムにバラツキがあっても、光源を点灯させることができる。
【０００８】
また、本発明は、請求項１ないし３のいずれか一項に記載の点灯装置と、前記点灯装置により点灯される前記光源と、前記光源から照射される光を変調する変調装置とを有する表示装置を提供する。
この表示装置によれば、第１駆動回路および第２駆動回路の特性にバラツキがあっても、光源を点灯させることができる。
【０００９】
さらに、本発明は、光源に電圧を印加するための共振回路と、前記共振回路に交流電圧を印加するインバーターブリッジ回路と、第１駆動回路と、第２駆動回路とを有する装置における前記光源の点灯方法であって、前記インバーターブリッジ回路は、第１制御端子に入力された第１信号に応じて動作する第１スイッチング素子と、第２制御端子に入力された第２信号に応じて動作する第２スイッチング素子と、第３制御端子に入力された第３信号に応じて動作する第３スイッチング素子と、第４制御端子に入力された第４信号に応じて動作する第４スイッチング素子とを有し、前記第１駆動回路は、第１入力端子と、第２入力端子と、前記第１制御端子に接続され、前記第１入力端子への入力に応じた信号を出力する第１出力端子と、前記第２制御端子に接続され、前記第２入力端子への入力に応じた信号を出力する第２出力端子とを有し、前記第２駆動回路は、第３入力端子と、第４入力端子と、前記第３制御端子に接続され、前記第３入力端子への入力に応じた信号を出力する第３出力端子と、前記第４制御端子に接続され、前記第４入力端子への入力に応じた信号を出力する第４出力端子とを有し、前記共振回路の共振特性に応じて決められたデッドタイムの値を記憶するステップと、前記第１スイッチング素子および前記第２スイッチング素子が同時にオフ状態になるデッドタイムが前記記憶手段に記憶されている値となるように前記第１信号および前記第２信号の少なくとも一方のタイミングを調整するステップと、前記第３スイッチング素子および前記第４スイッチング素子が同時にオフ状態になるデッドタイムが前記記憶手段に記憶されている値となるように前記第３信号および前記第４信号の少なくとも一方のタイミングを調整するステップと、前記調整された第１信号を前記第１入力端子に供給するステップと、前記調整された第２信号を前記第２入力端子に供給するステップと、前記調整された第３信号を前記第３入力端子に供給するステップと、前記調整された第４信号を前記第４入力端子に供給するステップとを有する点灯方法を提供する。
この点灯方法によれば、第１駆動回路および第２駆動回路の特性にバラツキがあっても、光源を点灯させることができる。
【図面の簡単な説明】
【００１０】
【図１】比較例に係るランプ駆動回路９０の構成を示す図。
【図２】デッドタイムを例示する図。
【図３】一実施形態に係る画像表示装置１の構成を示す図。
【図４】ランプ駆動回路３０の構成を示す図。
【図５】ＭＣＵ３１の機能構成を例示する図。
【図６】デッドタイムｔｄ０の値を例示する図。
【図７】駆動回路における入力信号および出力信号のタイミングを例示する図。
【発明を実施するための形態】
【００１１】
図１は、比較例に係るランプ駆動回路９０の構成を示す図である。ランプ駆動回路９０は、ランプ４０（光源）を点灯させる装置であり、例えばプロジェクターなどの画像表示装置において用いられる。ランプ４０は、点灯時に比較的高い電圧（例えば４ｋＶ）の印加が必要なランプ、例えば高圧水銀灯である。ランプ駆動回路９０は、ＭＣＵ（Micro Control Unit）９１と、駆動回路９２と、駆動回路９３と、インバーター回路９４と、共振回路９５とを有する。共振回路９５は、ランプ４０に印加される信号を共振させる回路であり、この例ではコイルＬおよび容量Ｃを有するＬＣ共振回路である。インバーター回路９４は、直流電力から交流電力を生成する回路であり、この例では、スイッチング素子９４１、スイッチング素子９４２、スイッチング素子９４３、およびスイッチング素子９４４の４つのスイッチング素子を有するブリッジ回路である。これら４つのスイッチング素子は、例えばＦＥＴ（Field Effect Transistor）である。
【００１２】
電源２０は、ランプの駆動に用いられる電力を供給する電源であり、この例では電圧可変の直流電圧源である。ランプ駆動回路９０は、電源２０から供給される電力をインバーター回路９４および共振回路９５により共振させることにより発生された高電圧をランプ４０に印加し、ランプ４０を点灯させる装置である。
【００１３】
駆動回路９２および駆動回路９３は、スイッチング素子を制御する回路であり、この例では、それぞれ、１入力２出力の回路である。駆動回路９２は、入力端子９２１、出力端子９２２、および出力端子９２３を有する。駆動回路９２は、入力端子９２１から入力された信号に応じた信号を出力端子９２２および出力端子９２３から出力する。駆動回路９２は、入力信号がＨレベルのときに出力端子９２２からＨレベルの信号を、出力端子９２３からＬレベルの信号を出力する。また、駆動回路９２は、入力信号がＬレベルのときに出力端子９２２からＬレベルの信号を、出力端子９２３からＨレベルの信号を出力する。駆動回路９３についても同様である。出力端子９２２および出力端子９２３から出力される信号は、Ｈレベルのときにスイッチング素子をオン状態（低インピーダンス状態）にさせ、Ｌレベルのときにスイッチング素子をオフ状態（高インピーダンス状態）にさせる信号である。
【００１４】
ここで、スイッチング素子９４１とスイッチング素子９４２とが同時にオン状態になると、高電圧の配線と低電圧の配線とが短絡してしまい、その結果、ランプ駆動回路９０が破壊されてしまう場合がある。そこで、駆動回路９２は、スイッチング素子９４１とスイッチング素子９４２とが同時にオン状態とならないように制御している。ここで、スイッチング素子９４１およびスイッチング素子９４２の一方がオフ状態になってから、他方がオン状態になるまでの時間を「デッドタイム」という。スイッチング素子９４１、スイッチング素子９４２、および駆動回路９３についても同様である。
【００１５】
図２は、デッドタイムを例示する図である。この例では、入力信号ＳｉｎがＬレベルからＨレベルになると、出力端子９２２から出力される信号（信号Ｓｏ１）はＬレベルからＨレベルになり、出力端子９２３から出力される信号（信号Ｓｏ２）はＨレベルからＬレベルになる。この例では、時刻ｔ１において入力信号がＬレベルからＨレベルになる。時刻ｔ２において、信号Ｓｏ２がＨレベルからＬレベルになる。時刻ｔ２から時間ｔｄが経過した時刻ｔ３において、信号Ｓｏ１がＬレベルからＨレベルになる。またこの例では、時刻ｔ４において入力信号がＨレベルからＬレベルになる。時刻ｔ５において、信号Ｓｏ１がＨレベルからＬレベルになる。時刻ｔ５から時間ｔｄが経過した時刻ｔ６において、信号Ｓｏ２がＬレベルからＨレベルになる。ｔｄがデッドタイムである。デッドタイムは、駆動回路９２および駆動回路９３により生成されるものである。
【００１６】
ランプ駆動回路９０は、インバーター回路９４により発生される交流信号の周波数を、共振回路９５の共振周波数の１／（２ｋ＋１）付近（ｋは自然数）に制御することにより、高電圧を発生させる。ランプ４０を点灯させるには、共振により発生する電圧（以下「共振電圧」という）の値を、所定の範囲内に収める必要がある。共振電圧が低すぎるとランプ４０が点灯せず、共振電圧が高すぎるとランプ４０以外の部分で放電が発生して装置が故障するおそれがあるためである。共振電圧は、デッドタイムに依存している。デッドタイムが短いと共振電圧は高くなり、デッドタイムが長いと共振電圧は低くなる。デッドタイムにより共振電圧の変動を補償するため、共振回路９５に印加される電圧が調整される。共振回路９５に印加される電圧が低くなると共振電圧は低くなり、共振回路９５に印加される電圧が高くなると共振電圧は高くなる。しかし、共振回路９５に印加される電圧には制限があり、その可変範囲は限られている。共振回路９５に印加される電圧の可変範囲が限られているということは、共振電圧を補償できる範囲も限られているということである。
【００１７】
いま、複数のランプ駆動回路９０の製造のため、駆動回路９２（および駆動回路９３）をある部品メーカーＡ社から調達する例を考える。デッドタイムには個体間のバラツキがあるので、Ａ社は、デッドタイムとしてはある範囲の時間、例えば４００から１０００ｎｓ（ナノ秒）を保証する。この補償範囲は、実際の部品におけるバラツキよりも広い。また、共振回路９５に印加される電圧を制御しても、デッドタイムの補償範囲４００から１０００ｎｓのすべてにおいて共振電圧を補償することはできない。そこで、ランプ駆動回路９０のメーカーは、以下のような設計を行う。Ａ社から納入される部品のデッドタイムの保証値が４００から１０００ｎｓであっても、実際の部品におけるデッドタイムのバラツキはこれよりも狭く、例えば７００±５０ｎｓの範囲に分布している。ランプ駆動回路９０のメーカーは、実際の部品におけるデッドタイムのバラツキを共振回路９５に印加される電圧の可変範囲で補償できるように、共振回路９５等の回路を設計する。
【００１８】
ここで、駆動回路９２（および駆動回路９３）を複数の部品メーカー（上述のＡ社に加えてＢ社）から調達する例を考える。デッドタイムの補償範囲は、両社とも４００から１０００ｎｓである。しかし、Ｂ社の実際の部品のデッドタイムは、５００±５０ｎｓを中心に分布している。この場合、先に説明した、Ａ社の部品に最適化して設計された回路は、Ｂ社から供給された駆動回路９２（および駆動回路９３）を用いた場合は正常に動作しないおそれがある。本実施形態は、このような問題に対処する。
【００１９】
図３は、一実施形態に係る画像表示装置１の構成を示す図である。この例で、画像表示装置１は、入力された映像信号に応じた映像をスクリーンに投写する装置、すなわちプロジェクターである。画像表示装置１は、画像処理回路１０と、電源２０と、ランプ駆動回路３０と、ランプ４０と、ライトバルブ５０と、投写レンズ６０とを有する。
【００２０】
画像処理回路１０は入力された映像信号に対して画像処理を行う装置である。この例で、画像処理回路１０は、ＭＣＵ１１を有する。ＭＣＵ１１は、画像処理に加え、ランプ駆動回路３０を制御する。電源２０は、ランプ駆動回路３０等に電力を供給する。ランプ駆動回路３０は、ランプ４０を点灯させる装置である。ライトバルブ５０は、ランプ４０から発生された光を、画像処理回路１０から供給される信号に応じて変調する装置、例えば液晶パネルである。投写レンズ６０は、ライトバルブ５０により変調された光により示される映像をスクリーン（図示略）に投写するレンズである。
【００２１】
図４は、ランプ駆動回路３０の構成を示す図である。ランプ駆動回路３０は、ＭＣＵ３１と、駆動回路３２と、駆動回路３３と、インバーター回路３４と、共振回路３５とを有する。ランプ駆動回路３０は、インバーター回路３４および共振回路３５により発生された高電圧をランプ４０に印加することにより、ランプ４０を点灯させる装置である。共振回路３５は、ランプ４０に印加される信号を共振させる回路であり、この例ではコイルＬおよび容量Ｃを有するＬＣ共振回路である。インバーター回路３４は、直流電力から交流電力を生成する回路であり、この例では、スイッチング素子３４１、スイッチング素子３４２、スイッチング素子３４３、およびスイッチング素子３４４の４つのスイッチング素子を有するブリッジ回路である。これら４つのスイッチング素子は、例えばＦＥＴであり、ゲート（制御端子）に入力された信号に応じて、ソースとドレインとの間のインピーダンスが変化する。
【００２２】
駆動回路３２および駆動回路３３は、スイッチング素子を制御する回路であり、この例では、それぞれ、２入力２出力の回路である。駆動回路３２は、入力端子３２１、入力端子３２２、出力端子３２３、および出力端子３２４を有する。駆動回路３２は、入力端子３２１から入力された信号に応じた信号を出力端子３２３から出力し、入力端子３２２から入力された信号に応じた信号を出力端子３２４から出力する。駆動回路３３は、入力信号がＨレベルのときにＨレベルの信号を出力し、入力信号がＬレベルのときにＬレベルの信号を出力する。駆動回路３３は、入力端子３３１、入力端子３３２、出力端子３３３、および出力端子３３４を有する。駆動回路３３の動作は駆動回路３２と同じである。出力端子３２３および出力端子３２４から出力される信号は、Ｈレベルのときにスイッチング素子をオン状態にさせ、Ｌレベルのときにスイッチング素子をオフ状態にさせる信号である。なお、駆動回路３２と駆動回路３３とは、要求される特性は同一であるので、例えば同一の型番の製品が複数個購入され、そのうちの２個が、１個のランプ駆動回路３０の製造に用いられる。
【００２３】
比較例において説明したように、スイッチング素子３４１とスイッチング素子３４２とが同時にオン状態となるとランプ駆動回路３０が破壊されるおそれがある。そこで、駆動回路３２は、入力端子３２１および入力端子３２２に同時にＨレベルの信号が入力されても、出力端子３２３および出力端子３２４同時にＨレベルの信号を出力しない機能を有している。また、出力端子３２３からの出力信号がＨレベルからＬレベルに変化してから、出力端子３２４からの出力信号がＬレベルからＨレベルに変化するまでの時間にはデッドタイムが設けられている。すなわち、ある時刻において、入力端子３２１に入力される信号がＨレベルからＬレベルに変わると同時に、入力端子３２２に入力される信号がＬレベルからＨレベルに変わったとしても、出力端子３２４からの出力信号がＬレベルからＨレベルに変化するのは、出力端子３２３からの出力信号がＨレベルからＬレベルに変化してからデッドタイムが経過した後である。デッドタイムの値は駆動回路３２の特性として決まっており、個々の回路によってバラツキがある。駆動回路３３についても同様である。
【００２４】
図５は、ＭＣＵ３１の機能構成を例示する図である。ＭＣＵ３１は、部品として供給される駆動回路３２および駆動回路３３の特性（デッドタイムの分布）の違いによらずにランプ駆動回路３０を動作させるため、記憶手段３１１と、信号生成手段３１２と、タイミング調整手段３１３と、タイミング調整手段３１４と、信号供給手段３１５と、信号供給手段３１６と、信号供給手段３１７と、信号供給手段３１８とを有する。
【００２５】
記憶手段３１１は、デッドタイムの値ｔｄ０を記憶する。デッドタイムｔｄ０は、共振回路３５の特性、具体的には共振周波数に応じて決められる。さらに、デッドタイムｔｄ０は、駆動回路３２および駆動回路３３の予測される特性、具体的にはデッドタイムの分布に応じて決められる。
【００２６】
図６は、デッドタイムｔｄ０の値を例示する図である。横軸はデッドタイムを、縦軸は分布密度を示している。図６は、駆動回路３２および駆動回路３３についてＡ社およびＢ社の２社から供給を受けた例を示している。駆動回路３２および駆動回路３３のデッドタイムの分布は、５００±５０ｎｓおよび７００±５０ｎｓの２つのピークを有する。デッドタイムｔｄ０の値は、駆動回路３２および駆動回路３３の予測されるデッドタイムよりも長い。Ａ社およびＢ社から供給される駆動回路３２および駆動回路３３のデッドタイムの最大値がそれぞれｔｄａおよびｔｄｂと予測される場合、ｔｄ０＞ｔｄａかつｔｄ０＞ｔｄｂである。この条件下で、さらに、共振回路３５の特性が考慮され、デッドタイムｔｄ０が決められる。上記の例では、例えば、ｔｄ０＝８５０ｎｓに設定される。なお、デッドタイムの最大値は、例えば統計的に予測される。具体的には、所定数の駆動回路３２（および駆動回路３３）のデッドタイムが実測され、これらの実測値の平均値および標準偏差を用いて最大値が予測される。
【００２７】
再び図５を参照する。信号生成手段３１２は、所定の周波数の信号を生成する。この周波数は、共振回路９５の共振周波数の１／（２ｋ＋１）の周波数である。例えば、共振回路９５の共振周波数が３９０ｋＨｚである場合、この１／３の周波数である１３０ｋＨｚの信号が生成される（ｋ＝１の例）。信号生成手段３１２により生成される信号は、スイッチング素子３４１、スイッチング素子３４２、スイッチング素子３４３、およびスイッチング素子３４４のそれぞれを駆動するため、４系統の信号を含む。
【００２８】
タイミング調整手段３１３は、スイッチング素子３４１を駆動するための信号Ｓｏ１およびスイッチング素子３４２を駆動するための信号Ｓｏ２によるデッドタイムが、記憶手段３１１に記憶されているデッドタイムと等しくなるように、信号Ｓｏ１および信号Ｓｏ２の少なくとも一方のタイミングを調整する。タイミング調整手段３１４は、スイッチング素子３４３を駆動するための信号Ｓｏ３およびスイッチング素子３４４を駆動するための信号Ｓｏ４によるデッドタイムが、記憶手段３１１に記憶されているデッドタイムと等しくなるように、信号Ｓｏ３および信号Ｓｏ４の少なくとも一方のタイミングを調整する。
【００２９】
信号供給手段３１５および信号供給手段３１６は、タイミング調整手段３１３によりタイミングが調整された信号を、駆動回路３２に供給する。具体的には、供給手段３１５が信号Ｓｉ１を入力端子３２１に供給し、供給手段３１６が信号Ｓｉ２を入力端子３２２に供給する。信号供給手段３１７および信号供給手段３１８は、タイミング調整手段３１４によりタイミングが調整された信号を、駆動回路３３に供給する。具体的には、供給手段３１７が信号Ｓｉ３を入力端子３３１に供給し、供給手段３１８が信号Ｓｉ４を入力端子３３２に供給する。
【００３０】
図７は、駆動回路３２および駆動回路３３における入力信号および出力信号のタイミングを例示する図である。横軸は時間を、縦軸は信号のレベルを示している。信号Ｓｉ１は、時刻ｔ１３においてＨレベルからＬレベルに変化する。信号Ｓｉ２は、時刻ｔ１３からデッドタイムｔｄ０が経過した時刻ｔ１５においてＨレベルからＬレベルに変化する。この例では、デッドタイムｔｄ０は、駆動回路３２および駆動回路３３のデッドタイムの分布に応じて、具体的には、予測されるデッドタイムの最大値よりも大きい値を有するように決定される。本実施形態によれば、駆動回路３２および駆動回路３３の特性（デッドタイム）のバラツキによらず、ランプ駆動回路３０はランプを点灯させることができる。例えば駆動回路３２および駆動回路３３を外部から調達する場合には、ランプ駆動回路３０によれば部品調達の自由度を高めることができる。
【００３１】
本発明は上述の実施形態に限定されるものではなく、種々の変形実施が可能である。以下、変形例をいくつか説明する。以下の変形例のうち２つ以上のものが組み合わせて用いられてもよい。
【００３２】
駆動回路３２および駆動回路３３は、２社により供給されるものに限定されない。３社以上から供給されてもよいし、１社のみから供給されてもよい。１社のみから供給される場合においても、デッドタイムの分布によらずに動作をさせることができるので、製品の歩留まりを向上させることができる。
【００３３】
記憶手段３１１に記憶されるデッドタイムは、駆動回路３２および駆動回路３３のデッドタイムの予測される最大値よりも大きいものに限定されない。製造において要求される不良率との兼ね合いで、最大値よりも小さい値のデッドタイムが、記憶手段３１１に記憶されていてもよい。
【００３４】
ランプ駆動回路３０が用いられる機器はプロジェクター等の表示装置に限定されない。表示装置以外の装置に、ランプ駆動回路３０が用いられてもよい。
【符号の説明】
【００３５】
１…画像表示装置、１０…画像処理回路、２０…電源、３０…ランプ駆動回路、３１…ＭＣＵ、３１１…記憶手段、３１２…信号生成手段、３１３…タイミング調整手段、３１４…タイミング調整手段、３１５…信号供給手段、３１６…信号供給手段、３１７…信号供給手段、３１８…信号供給手段、３２…駆動回路、３２１…入力端子、３２２…出力端子、３２３…出力端子、３３…駆動回路、３３１…入力端子、３３２…出力端子、３３３…出力端子、３４…インバーター回路、３４１…スイッチング素子、３４２…スイッチング素子、３４３…スイッチング素子、３４４…スイッチング素子、３５…共振回路、４０…ランプ、５０…ライトバルブ、６０…投写レンズ、９０…ランプ駆動回路、９１…ＭＣＵ、９２…駆動回路、９２１…入力端子、９２２…出力端子、９２３…出力端子、９３…駆動回路、９３１…入力端子、９３２…出力端子、９３３…出力端子、９４…インバーター回路、９４１…スイッチング素子、９４２…スイッチング素子、９４３…スイッチング素子、９４４…スイッチング素子、９５…共振回路。
【図１】
2014107258.tif 000003
【図２】
2014107258.tif 000004
【図３】
2014107258.tif 000005
【図４】
2014107258.tif 000006
【図５】
2014107258.tif 000007
【図６】
2014107258.tif 000008
【図７】
2014107258.tif 000009